(57)【要約】【課題】画像データの消去の精度を向上することができる撮像装置、画像記録装置及びそのプログラムを実現する。【解決手段】静止画撮影モードに設定されると、シャッタボタンが押下されるまでスルー画像表示を行う（Ｓ５１、Ｓ５２でＮ）。シャッタボタンが押下されると、静止画撮影処理を行い、該得られた撮影画像データをバッファメモリに記憶させる。そして、バッファメモリに記憶した撮影画像を記録する分だけの空き容量がフラッシュメモリ１３にあるか否かを判断し（Ｓ５４）、フラッシュメモリ１３に空き容量がないと判断された場合は、ゴミ箱フォルダに記録されている画像ファイルに関連付けられて記録されている消去優先度に基づいて、一番消去優先順位の高い画像ファイルを選択し、該選択した画像ファイルを自動的に消去する（Ｓ５５）。そして、該撮影処理により得られた撮影画像データをフラッシュメモリ１３の保存フォルダに記録させる（Ｓ５６）。【選択図】      図７
2011160471.tif 000002
【特許請求の範囲】
【請求項１】
被写体を撮像する撮像手段と、
前記撮像手段により撮像された画像データを記録手段に記録する記録制御手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする撮像装置。
【請求項２】
被写体を撮像する撮像手段と、
前記撮像手段により撮像された画像データを記録手段に記録する記録制御手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする撮像装置。
【請求項３】
被写体を撮像する撮像手段と、
前記撮像手段により撮像された画像データを記録手段に記録する記録制御手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする撮像装置。
【請求項４】
被写体を撮像する撮像手段と、
前記撮像手段により撮像された画像データを記録手段に記録する記録制御手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする撮像装置。
【請求項５】
ユーザが評価結果に対応する消去優先度を指定する指定手段を備え、
前記消去優先度決定手段は、
前記指定手段により指定された評価結果に対応する消去優先度、及び、前記画像解析評価手段による評価結果に基づいて、該評価された画像データの消去優先度を決定することを特徴とする請求項３又は４記載の撮像装置。
【請求項６】
評価結果に対応する消去優先度を記憶したテーブルを備え、
前記消去優先度決定手段は、
前記画像解析評価手段による評価結果、及び、前記テーブルに基づいて、該評価された画像データの消去優先度を決定することを特徴とする請求項３乃至５の何れかに記載の撮像装置。
【請求項７】
前記画像解析評価手段は、
画像データの画像劣化を複数の項目別に解析して評価し、
前記消去優先度決定手段は、
前記画像解析評価手段により画質の劣化あると評価された項目に基づいて、消去優先度を決定することを特徴とする請求項３乃至６の何れかに記載の撮像装置。
【請求項８】
前記画像解析評価手段は、
前記撮像手段により撮像された画像データの画像を解析して評価し、
前記記録制御手段は、
前記撮像手段により撮像された画像データと、前記画像解析評価手段による評価結果とを関連付けて前記記録手段に記録することを特徴とする請求項３乃至７の何れかに記載の撮像装置。
【請求項９】
前記消去優先度決定手段は、
前記撮像手段により撮像された画像データの消去優先度を決定し、
前記記録制御手段は、
前記撮像手段により撮像された画像データと、前記消去優先度決定手段により決定された該撮像された画像データの消去優先度とを関連付けて前記記録手段に記録することを特徴とする請求項１乃至７の何れかに記載の撮像装置。
【請求項１０】
前記消去優先度決定手段は、
前記記録手段に記録されている画像データの消去優先度を決定することを特徴とする請求項１乃至８の何れかに記載の撮像装置。
【請求項１１】
画像データを消去するか否かを判断する判断手段を備え、
前記表示制御手段は、
前記判断手段により画像データを消去すると判断された場合は、前記記録手段に記録されている画像データのうち、前記関連記録制御手段により消去してもよい旨の情報が関連付けて記録されている画像データを、前記消去優先度決定手段により決定された消去優先度の高い画像データ順に、表示させることを特徴とする請求項１又は３記載の撮像装置。
【請求項１２】
画像データを消去するか否かを判断する判断手段を備え、
前記消去画像決定手段は、
前記判断手段により画像データを消去すると判断された場合は、前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定することを特徴とする請求項２又は４記載の撮像装置。
【請求項１３】
画像データを保存する記録手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする画像記録装置。
【請求項１４】
画像データを保存する記録手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする画像記録装置。
【請求項１５】
画像データを保存する記録手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする画像記録装置。
【請求項１６】
画像データを保存する記録手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする画像記録装置。
【請求項１７】
被写体を撮像する撮像処理と、
前記撮像処理により撮像された画像データを記録媒体に記録する記録処理と、
ユーザの操作に従って画像データの消去優先度を決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けて記録されている画像データを、前記消去優先度決定処理により指定された消去優先度の高い画像データ順に、表示部に表示させる表示処理と、
前記表示処理により表示された画像データの中からユーザによって指定された画像データを消去する画像データとして決定する消去画像決定処理と、
前記消去画像決定処理により決定された画像データを前記記録媒体から消去する画像消去処理と、
を含み、上記各処理をコンピュータで実行させることを特徴とするプログラム。
【請求項１８】
被写体を撮像する撮像処理と、
前記撮像処理により撮像された画像データを記録媒体に記録する記録処理と、
ユーザの操作に従って画像データの消去優先度を決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けられて記録されている画像データの中で、前記消去優先度決定処理により決定された消去優先度の高い画像データを、消去する画像として決定する消去画像決定処理と、
前記消去画像決定処理により決定された画像データを前記記録媒体から消去する画像消去処理と、
を含み、上記各処理をコンピュータで実行させることを特徴とするプログラム。
【請求項１９】
被写体を撮像する撮像処理と、
前記撮像処理により撮像された画像データを記録媒体に記録する記録処理と、
画像データの画像を解析して評価する画像解析評価処理と、
前記画像解析評価処理による評価結果に基づいて該評価された画像データの消去優先度を自動的に決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けて記録されている画像データを、前記消去優先度決定処理により決定された消去優先度の高い画像データ順に、表示部に表示させる表示処理と、
前記表示処理により表示された画像データの中からユーザによって指定された画像データを消去する画像データとして決定する消去画像決定処理と、
前記消去画像決定処理により決定された画像データを前記記録媒体から消去する画像消去処理と、
を含み、上記各処理をコンピュータで実行させることを特徴とするプログラム。
【請求項２０】
被写体を撮像する撮像処理と、
前記撮像処理により撮像された画像データを記録媒体に記録する記録処理と、
画像データの画像を解析して評価する画像解析評価処理と、
前記画像解析評価処理による評価結果に基づいて該評価された画像データの消去優先度を自動的に決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けられて記録されている画像データの中で、前記消去優先度決定処理により決定された消去優先度の高い画像データを、消去する画像として決定する消去画像決定処理と、
前記消去画像決定処理により決定された画像データを前記記録媒体から消去する画像消去処理と、
を含み、上記各処理をコンピュータで実行させることを特徴とするプログラム。
【発明の詳細な説明】
【技術分野】
【０００１】
本発明は、撮像装置、画像記録装置及びそのプログラムに係り、詳しくは、記録された画像データを消去することができる撮像装置、画像記録装置及びそのプログラムに関する。
【背景技術】
【０００２】
近年、撮像装置、例えば、電子スチルカメラにおいて、画像データの削除指示が行われた場合は、該指示のあった画像データの管理情報のみを画像記録部から削除データ一時記憶部に記憶させ、画像データの復活指示が行われた場合は、該指示のあった画像データの管理情報を削除データ一時記憶部から画像記録部に記録させることにより画像データを復活させる技術が登場した。また、この技術においては、削除データ一時記憶部のメモリ容量が不足した場合は、画像を削除した日付の古い順又は撮影日時の古い順に管理情報を破棄し、新たな管理情報を記憶させる（特許文献１）。
【先行技術文献】
【特許文献】
【０００３】
【特許文献１】公開特許公報  特開２００５−８０２２６
【発明の概要】
【発明が解決しようとする課題】
【０００４】
しかしながら、上記技術は、削除データ一時記憶部のメモリが一杯になった時に消去日時（又は撮影日時）の古い順に画像を消去するようにしたが、消去日時（又は撮影日時）の古い画像が必ずしもユーザにとって不要な画像であるとは限らず、ユーザにとって不要な画像よりも必要な画像が先に消去されてしまうという問題点が生じてしまう。
【０００５】
そこで本発明は、かかる従来の問題点に鑑みてなされたものであり、画像データの消去の精度を向上することができる撮像装置、画像記録装置及びそのプログラムを提供することを目的とする。
【課題を解決するための手段】
【０００６】
上記目的達成のため、請求項１記載の発明による撮像装置は、被写体を撮像する撮像手段と、
前記撮像手段により撮像された画像データを記録手段に記録する記録制御手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする。
【０００７】
上記目的達成のため、請求項２記載の発明による撮像装置は、被写体を撮像する撮像手段と、
前記撮像手段により撮像された画像データを記録手段に記録する記録制御手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする。
【０００８】
上記目的達成のため、請求項３記載の発明による撮像装置は、被写体を撮像する撮像手段と、
前記撮像手段により撮像された画像データを記録手段に記録する記録制御手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする。
【０００９】
上記目的達成のため、請求項４記載の発明による撮像装置は、被写体を撮像する撮像手段と、
前記撮像手段により撮像された画像データを記録手段に記録する記録制御手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする。
【００１０】
また、例えば、請求項５に記載されているように、ユーザが評価結果に対応する消去優先度を指定する指定手段を備え、
前記消去優先度決定手段は、
前記指定手段により指定された評価結果に対応する消去優先度、及び、前記画像解析評価手段による評価結果に基づいて、該評価された画像データの消去優先度を決定するようにしてもよい。
【００１１】
また、例えば、請求項６に記載されているように、評価結果に対応する消去優先度を記憶したテーブルを備え、
前記消去優先度決定手段は、
前記画像解析評価手段による評価結果、及び、前記テーブルに基づいて、該評価された画像データの消去優先度を決定するようにしてもよい。
【００１２】
また、例えば、請求項７に記載されているように、前記画像解析評価手段は、
画像データの画像劣化を複数の項目別に解析して評価し、
前記消去優先度決定手段は、
前記画像解析評価手段により画質の劣化あると評価された項目に基づいて、消去優先度を決定するようにしてもよい。
【００１３】
また、例えば、請求項８に記載されているように、前記画像解析評価手段は、
前記撮像手段により撮像された画像データの画像を解析して評価し、
前記記録制御手段は、
前記撮像手段により撮像された画像データと、前記画像解析評価手段による評価結果とを関連付けて前記記録手段に記録するようにしてもよい。
【００１４】
また、例えば、請求項９に記載されているように、前記消去優先度決定手段は、
前記撮像手段により撮像された画像データの消去優先度を決定し、
前記記録制御手段は、
前記撮像手段により撮像された画像データと、前記消去優先度決定手段により決定された該撮像された画像データの消去優先度とを関連付けて前記記録手段に記録するようにしてもよい。
【００１５】
また、例えば、請求項１０に記載されているように、前記消去優先度決定手段は、
前記記録手段に記録されている画像データの消去優先度を決定するようにしてもよい。
【００１６】
また、例えば、請求項１１に記載されているように、画像データを消去するか否かを判断する判断手段を備え、
前記表示制御手段は、
前記判断手段により画像データを消去すると判断された場合は、前記記録手段に記録されている画像データのうち、前記関連記録制御手段により消去してもよい旨の情報が関連付けて記録されている画像データを、前記消去優先度決定手段により決定された消去優先度の高い画像データ順に、表示させるようにしてもよい。
【００１７】
また、例えば、請求項１２に記載されているように、画像データを消去するか否かを判断する判断手段を備え、
前記消去画像決定手段は、
前記判断手段により画像データを消去すると判断された場合は、前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定するようにしてもよい。
【００１８】
上記目的達成のため、請求項１３記載の発明による画像記録装置は、画像データを保存する記録手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする。
【００１９】
上記目的達成のため、請求項１４記載の発明による画像記録装置は、画像データを保存する記録手段と、
ユーザが画像データの消去優先度を決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする。
【００２０】
上記目的達成のため、請求項１５記載の発明による画像記録装置は、画像データを保存する記録手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、
前記表示制御手段により表示された画像データの中からユーザが消去する画像データを決定するための消去画像決定手段と、
前記消去画像決定手段により決定された画像データを前記記録手段から消去する画像消去手段と、
を備えたことを特徴とする。
【００２１】
上記目的達成のため、請求項１６記載の発明による画像記録装置は、画像データを保存する記録手段と、
画像データの画像を解析して評価する画像解析評価手段と、
前記画像解析評価手段による評価結果に基づいて該評価された画像データの消去優先度を自動的に決定する消去優先度決定手段と、
前記記録手段に記録されている画像データのうち、ユーザによって消去してもよいと選択された画像データに、消去してもよい旨の情報を関連付けて記録する関連記録制御手段と、
前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、
前記消去画像決定手段により決定された画像データを前記記録手段から消去する画像消去手段と、
を備えたことを特徴とする。
【００２２】
上記目的達成のため、請求項１７記載の発明によるプログラムは、被写体を撮像する撮像処理と、
前記撮像処理により撮像された画像データを記録媒体に記録する記録処理と、
ユーザの操作に従って画像データの消去優先度を決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けて記録されている画像データを、前記消去優先度決定処理により指定された消去優先度の高い画像データ順に、表示部に表示させる表示処理と、
前記表示処理により表示された画像データの中からユーザによって指定された画像データを消去する画像データとして決定する消去画像決定処理と、
前記消去画像決定処理により決定された画像データを前記記録媒体から消去する画像消去処理と、
を含み、上記各処理をコンピュータで実行させることを特徴とする。
【００２３】
上記目的達成のため、請求項１８記載の発明によるプログラムは、被写体を撮像する撮像処理と、
前記撮像処理により撮像された画像データを記録媒体に記録する記録処理と、
ユーザの操作に従って画像データの消去優先度を決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けられて記録されている画像データの中で、前記消去優先度決定処理により決定された消去優先度の高い画像データを、消去する画像として決定する消去画像決定処理と、
前記消去画像決定処理により決定された画像データを前記記録媒体から消去する画像消去処理と、
を含み、上記各処理をコンピュータで実行させることを特徴とする。
【００２４】
上記目的達成のため、請求項１９記載の発明によるプログラムは、被写体を撮像する撮像処理と、
前記撮像処理により撮像された画像データを記録媒体に記録する記録処理と、
画像データの画像を解析して評価する画像解析評価処理と、
前記画像解析評価処理による評価結果に基づいて該評価された画像データの消去優先度を自動的に決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けて記録されている画像データを、前記消去優先度決定処理により決定された消去優先度の高い画像データ順に、表示部に表示させる表示処理と、
前記表示処理により表示された画像データの中からユーザによって指定された画像データを消去する画像データとして決定する消去画像決定処理と、
前記消去画像決定処理により決定された画像データを前記記録媒体から消去する画像消去処理と、
を含み、上記各処理をコンピュータで実行させることを特徴とする。
【００２５】
上記目的達成のため、請求項２０記載の発明によるプログラムは、被写体を撮像する撮像処理と、
前記撮像処理により撮像された画像データを記録媒体に記録する記録処理と、
画像データの画像を解析して評価する画像解析評価処理と、
前記画像解析評価処理による評価結果に基づいて該評価された画像データの消去優先度を自動的に決定する消去優先度決定処理と、
前記記録媒体に記録されている画像データのうち、ユーザによって消去してもよいと選択された画像データに、消去してもよい旨の情報を関連付けて記録する関連記録処理と、
前記記録媒体に記録されている画像データのうち、前記関連記録処理により消去してもよい旨の情報が関連付けられて記録されている画像データの中で、前記消去優先度決定処理により決定された消去優先度の高い画像データを、消去する画像として決定する消去画像決定処理と、
前記消去画像決定処理により決定された画像データを前記記録媒体から消去する画像消去処理と、
を含み、上記各処理をコンピュータで実行させることを特徴とする。
【発明の効果】
【００２６】
請求項１記載の発明によれば、被写体を撮像する撮像手段と、前記撮像手段により撮像された画像データを記録手段に記録する記録制御手段と、ユーザが画像データの消去優先度を決定する消去優先度決定手段と、前記記録手段に記録されている画像データのうち、ユーザによって消去してもよいと選択された画像データに、消去してもよい旨の情報を関連付けて記録する関連記録制御手段と、前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、前記表示制御手段により表示された画像データの中からユーザが消去する画像データを決定するための消去画像決定手段と、前記消去画像決定手段により決定された画像データを前記記録手段から消去する画像消去手段と、を備えるようにしたので、ユーザによって決定された消去優先度の高い順に、消去してもよい情報が関連付けて記録されている画像データを表示させることができ、迅速に画像データを消去することができる。
【００２７】
請求項２記載の発明によれば、被写体を撮像する撮像手段と、前記撮像手段により撮像された画像データを記録手段に記録する記録制御手段と、ユーザが画像データの消去優先度を決定する消去優先度決定手段と、前記記録手段に記録されている画像データのうち、ユーザによって消去してもよいと選択された画像データに、消去してもよい旨の情報を関連付けて記録する関連記録制御手段と、前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、前記消去画像決定手段により決定された画像データを前記記録手段から消去する画像消去手段と、を備えるようにしたので、消去してもよい情報が関連付けて記録されている画像データのうち、ユーザによって決定された消去優先度の高い画像データを自動的に消去することができ、ユーザの手間を省くことができる。
【００２８】
請求項３記載の発明によれば、被写体を撮像する撮像手段と、前記撮像手段により撮像された画像データを記録手段に記録する記録制御手段と、画像データの画像を解析して評価する画像解析評価手段と、前記画像解析評価手段による評価結果に基づいて該評価された画像データの消去優先度を自動的に決定する消去優先度決定手段と、前記記録手段に記録されている画像データのうち、ユーザによって消去してもよいと選択された画像データに、消去してもよい旨の情報を関連付けて記録する関連記録制御手段と、前記記録手段に記録されている画像データのうち、前記関連記録制御手段により消去してもよい旨の情報が関連付けて記録されている画像データを、前記消去優先度決定手段により決定された消去優先度の高い画像データ順に、表示手段に表示させる表示制御手段と、前記表示制御手段により表示された画像データの中からユーザが消去する画像データを決定するための消去画像決定手段と、前記消去画像決定手段により決定された画像データを前記記録手段から消去する画像消去手段と、を備えるようにしたので、評価結果に基づいて自動的に決定された消去優先度の高い順に、消去してもよい情報が関連付けて記録されている画像データを表示させることができ、迅速に画像データを消去することができる。
【００２９】
請求項４記載の発明によれば、被写体を撮像する撮像手段と、前記撮像手段により撮像された画像データを記録手段に記録する記録制御手段と、画像データの画像を解析して評価する画像解析評価手段と、前記画像解析評価手段による評価結果に基づいて該評価された画像データの消去優先度を自動的に決定する消去優先度決定手段と、前記記録手段に記録されている画像データのうち、ユーザによって消去してもよいと選択された画像データに、消去してもよい旨の情報を関連付けて記録する関連記録制御手段と、前記記録手段に記録されている画像データのうち、前記関連記録制御手段により消去してもよい旨の情報が関連付けられて記録されている画像データの中で、前記消去優先度決定手段により決定された消去優先度の高い画像データを、消去する画像として決定する消去画像決定手段と、前記消去画像決定手段により決定された画像データを前記記録手段から消去する画像消去手段と、を備えるようにしたので、消去してもよい情報が関連付けて記録されている画像データのうち、評価結果に基づいて自動的に決定された消去優先度の高い画像データを自動的に消去することができ、ユーザの手間を省くことができる。
【図面の簡単な説明】
【００３０】
【図１】本発明の実施の形態のデジタルカメラのブロック図である。
【図２】ユーザが消去優先度を指定する方法での通常再生時におけるデジタルカメラ１の動作を示すフローチャートである。
【図３】消去優先度を自動で指定する方法での通常再生時におけるデジタルカメラ１の動作を示すフローチャートである。
【図４】メモリ１１に記憶されている消去優先度テーブルの様子を示す図である。
【図５】ゴミ箱フォルダ再生時におけるデジタルカメラ１の動作を示すフローチャートである。
【図６】消去優先順位の高低を説明するための図である。
【図７】自動で消去する画像ファイルを決定する方法での撮影時におけるデジタルカメラ１の動作を示すフローチャートである。
【図８】手動で消去する画像ファイルを決定する方法での撮影時におけるデジタルカメラ１の動作を示すフローチャートである。
【発明を実施するための形態】
【００３１】
以下、本実施の形態について、本発明の撮像装置をデジタルカメラに適用した一例として図面を参照して詳細に説明する。
[実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、ＴＧ（timing generator）６、ユニット回路７、ＣＰＵ８、ＤＲＡＭ９、ＲＯＭ１０、メモリ１１、キー入力部１２、フラッシュメモリ１３、画像表示部１４から構成されている。
【００３２】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ８からの制御信号にしたがってフォーカスモータ、ズームモータをそれぞれ光軸方向に駆動させるフォーカスモータドライバ、ズームモータドライバから構成されている。
【００３３】
絞り兼用シャッタ４は、図示しない駆動回路を含み、駆動回路はＣＰＵ８から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、ＣＣＤ５に光を当てる時間を制御する機構のことをいい、ＣＣＤ５に光を当てる時間は、シャッタの開閉の速度（シャッタ速度）によって変わってくる。算出された露出量ＥＶ値に基づいてこの絞りとシャッタ速度が定められる。
【００３４】
ＣＣＤ５は、撮影レンズ２、絞り兼用シャッタ４を介して投影された被写体の光を電気信号に変換し、撮像信号としてユニット回路７に出力する。また、ＣＣＤ５は、ＴＧ６によって生成された所定周波数のタイミング信号にしたがって駆動する。ＴＧ６にはユニット回路７が接続されている。
【００３５】
ユニット回路７は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路７を経てデジタル信号としてＣＰＵ８に送られる。
【００３６】
ＣＰＵ８は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。
【００３７】
ＤＲＡＭ９は、ＣＣＤ５によって撮像された後、ＣＰＵ８に送られてきた画像データを一時記憶するバッファメモリとして使用されるとともに、ＣＰＵ８のワーキングメモリとして使用される。
ＲＯＭ１０には、ＣＰＵ８によるデジタルカメラ1の各部の制御に必要なプログラム、及び各部の制御に必要なデータが記録されており、ＣＰＵ８は、このプログラムにしたがって処理を行う。
【００３８】
メモリ１１には、後述する消去優先度テーブルが記録されている。この消去優先度テーブルの記憶内容は書き換え可能である。
キー入力部１１は、シャッタボタン、モード切替キー、消去ボタン、復活ボタン、十字キー、ＳＥＴキー等の複数の操作キーを含み、ユーザのキー操作に応じた操作信号をＣＰＵ８に出力する。
【００３９】
フラッシュメモリ１３は、ＣＣＤ５によって撮像された画像データなどを保存しておく記録媒体である。フラッシュメモリ１３には保存フォルダとゴミ箱フォルダの２つのフォルダを設け、撮影により得られた画像ファイルは保存フォルダに記録され、保存フォルダに記録されている画像ファイルの消去操作が行なわれた場合は、該消去操作が行なわれた画像ファイルは保存フォルダからゴミ箱フォルダに移動され、ゴミ箱フォルダに記録されている画像ファイルの消去操作が行なわれた場合は、該画像ファイルはフラッシュメモリ１３から削除される。
この保存フォルダとゴミ箱フォルダとの記録容量は、容量が固定されておらず可変である。
【００４０】
画像表示部１４（ファインダー）は、カラーＬＣＤとその駆動回路を含み、撮影待機状態にあるときには、ＣＣＤ５によって撮像された被写体をスルー画像として表示させ、画像再生時には、フラッシュメモリ１３に記録されている撮影画像データを表示させる。
【００４１】
Ｂ.本発明の特徴となる構成の機能
次に、本発明の特徴となる構成の機能について簡単に説明する。
Ｂ−１．通常再生モード時において
ＣＰＵ８は、ユーザのモード切替キーの操作により通常の静止画再生モードに設定されると、フラッシュメモリ１３の保存フォルダに記録されている画像ファイルのうち、一番撮影日時の古い画像ファイルの撮影画像をフラッシュメモリ１３から読み出してバッファメモリ（ＤＲＡＭ９）に記憶し、該記憶した撮影画像を画像表示部１４に表示させる。
【００４２】
また、ＣＰＵ８は、ユーザの十字キーの操作によるコマ送り操作により、それに対応する操作信号がキー入力部１２から送られてきたかを判断し、コマ送り操作が行なわれたと判断すると、次に撮影日時の古い画像ファイルの撮影画像をフラッシュメモリ１３から読み出して画像表示部１４に表示させる。
また、ＣＰＵ８は、画像表示部１４に撮影画像を表示している最中に、ユーザの消去ボタンの操作により、それに対応する操作信号がキー入力部１２から送られてきたか否かの判断も行う。
ＣＰＵ８は、消去ボタンの操作が行なわれたと判断すると、該表示している撮影画像の画像ファイルの消去優先度を決定する。この消去優先度の決定については後述する。
【００４３】
そして、ＣＰＵ８は、該決定した消去優先度を管理ファイルに記録する。つまり、該決定した消去優先度と該表示している撮影画像の画像ファイルを関連付けて記録させる。
そして、ＣＰＵ８は、該表示している撮影画像の画像ファイルを保存フォルダから消去フォルダに移動させる。
消去優先度の決定は、ユーザによって指定されたものであってもよいし、該撮影画像の画質劣化を評価し、該評価した画質評価結果に応じて消去優先度を決定する方法であってもよい。
【００４４】
Ｂ−２．ゴミ箱フォルダ再生モード時において
ＣＰＵ８は、ゴミ箱フォルダ再生モードに設定されると、ゴミ箱フォルダに記録されている画像ファイルのうち、一番消去優先順位の低い画像ファイルの撮影画像を優先的にフラッシュメモリ１３から読出してバッファメモリに記憶し、該記憶した撮影画像を画像表示部１４に表示させる。この消去優先順位は、画像ファイルに関連付けられて記録されている消去優先度に基づいて定められる。
また、ＣＰＵ８は、ユーザの十字キーの操作によるコマ送り操作により、それに対応する操作信号がキー入力部１２から送られてきたかを判断し、コマ送り操作が行なわれたと判断すると、次に消去優先順位の低い画像ファイルの撮影画像をフラッシュメモリ１３から読み出して画像表示部１４に表示させる。
【００４５】
また、ＣＰＵ８は、画像表示部１４に撮影画像を表示している最中に、ユーザの復活ボタンの操作により、それに対応する操作信号がキー入力部１２から送られてきたか否かの判断も行う。そして、復活ボタンの操作が行なわれたと判断すると、ＣＰＵ８は、該表示している撮影画像の画像ファイルをゴミ箱フォルダから保存フォルダに移動させる。
また、ＣＰＵ８は、画像表示部１４に撮影画像を表示している最中に、ユーザの消去ボタンの操作により、それに対応する操作信号がキー入力部１２から送られてきたか否かの判断も行う。そして、消去ボタンの操作が行なわれたと判断すると、ＣＰＵ８は、該表示している撮影画像の画像ファイルをフラッシュメモリ１３から削除する。
【００４６】
Ｂ−３．撮影モード時において
ＣＰＵ８は、ユーザのモード切替キーの操作により撮影モードに設定され、撮影の指示が行われると（シャッタボタン押下に対応する操作信号がキー入力部１２から送られてくると）、静止画撮影処理を行う。つまり、ＣＣＤ５に比較的長い出力タイミングで１画面中の偶数ラインの画素信号と、奇数ラインの画素信号を順に出力させて、全画素分の画像データを読出して画像処理を施し、画像処理が施された撮影画像データをバッファメモリに取り込む。
そして、ＣＰＵ８は、該撮影処理により得られた撮影画像データを記録する分だけの空き容量がフラッシュメモリ１３にあるか否かを判断する。空き容量がある場合は、ＣＰＵ８は、そのまま該得られた撮影画像データから画像ファイルを生成して保存フォルダに記録させる。
【００４７】
一方、空き容量がない場合には、ＣＰＵ８は、ゴミ箱フォルダに記録されている画像ファイルをフラッシュメモリ１３から削除して、該撮影処理により得られた撮影画像データから画像ファイルを生成して保存フォルダに記録させる。
このゴミ箱フォルダに記録されている画像ファイルをフラッシュメモリ１３から削除する方法としては、自動により消去する画像ファイルを決定して消去する方法と、手動により指定された画像ファイルを消去する画像ファイルとして決定して消去する方法の２通りある。
【００４８】
まず、自動により消去する方法は、ゴミ箱フォルダに記録されている画像ファイルうち、一番消去優先順位の高い画像ファイルを消去する画像ファイルとして決定して消去する方法である。この消去優先順位は画像ファイルに関連付けられて記録されている消去優先度に基づいて定められる。
また、手動により消去する方法は、ゴミ箱フォルダに記録されている画像ファイルの撮影画像を、消去優先順位の高い順に表示させ、ユーザによって指定された画像ファイルを消去する画像ファイルとして決定して消去する方法である。
【００４９】
Ｃ．デジタルカメラ１の動作
実施の形態におけるデジタルカメラ１の動作を再生時（画像の消去、復活）と撮影時に分けて説明する。
【００５０】
Ｃ−１．再生時（画像の消去）の動作について
本実施の形態の再生時（画像の消去）を簡単に説明すると、画像データを再生表示している最中に、ユーザによって消去ボタンが操作されると、該再生表示させている画像データの画像ファイルをゴミ箱フォルダに移動させるというものであり、ゴミ箱フォルダへの移動の際に、該移動させる画像ファイルに、該画像ファイルの消去優先度を関連付けて記録させるというものである。この関連付けて記録される消去優先度をユーザが指定する方法と、自動で決定する方法の２通りある。
【００５１】
Ｃ−１１．まず、ユーザが消去優先度を指定する方法での再生時におけるデジタルカメラ１の動作を図２のフローチャートにしたがって説明する。
ユーザのモード切替キーの操作により通常の再生モードに設定されると、ＣＰＵ８は、フラッシュメモリ１３の保存フォルダに記録されている複数の画像ファイルの中で一番撮影日時が古い画像ファイルを選択し、該選択した画像ファイルの撮影画像を画像表示部１４に表示させる（ステップＳ１）。
【００５２】
次いで、ＣＰＵ８は、コマ送り操作が行なわれたか否かを判断する（ステップＳ２）。この判断は、十字キーの操作に対応する操作信号がキー入力部１２から送られてきたか否かにより判断し、送られてきた場合はコマ送り操作が行なわれたと判断する。
ステップＳ２で、コマ送り操作があると判断すると、ＣＰＵ８は、次の撮影画像、つまり、次に撮影日時が古い撮影画像を画像表示部１４に表示させて（ステップＳ３）、ステップＳ２に戻る。
【００５３】
一方、ステップＳ２で、コマ送り操作がないと判断すると、ＣＰＵ８は、ユーザによって消去操作が行なわれたか否かを判断する（ステップＳ４）。この判断は、消去ボタンの操作に対応する操作信号がキー入力部１２から送られてきたか否かにより判断する。
ステップＳ４で、消去操作が行われていないと判断するとステップ２に戻り、消去操作が行われたと判断すると、ＣＰＵ８は、表示している撮影画像データに、消去優先度をユーザに指定させるための画面を重ねて表示させる（ステップＳ５）。
【００５４】
この画面を見ながら十字キーを操作することにより、「１」〜「４」までの数字をユーザは指定することができる。「１」〜「４」は消去優先度の高低を示しており、「１」は一番消去優先度が高く、「４」は一番消去優先度が低い。つまり、数字が大きくなるにつれ消去優先度は低くなる。なお、ここでは消去優先度の度合いを４段階に分けたが、何段階であってもよい。
【００５５】
次いで、ＣＰＵ８は、ユーザによって指定された数字を消去優先度として決定するか否かを判断する（ステップＳ６）。この判断は、ＳＥＴキーの操作に対応する操作信号がキー入力部１２から送られてきたか否かにより判断する。
ステップＳ６で、消去優先度の決定が行なわれていないと判断すると消去優先度の決定が行なわれるまでステップＳ６に留まり、消去優先度の決定が行なわれると、ＣＰＵ８は、該決定された消去優先度を管理ファイルに記録する（ステップＳ７）。なお、管理ファイルに消去優先度を記録するのではなく、現在選択されている画像ファイルのヘッダ情報として消去優先度を付加させるようにしてもよい。つまり、現在選択されている画像ファイル（該表示させている撮影画像の画像ファイル）と消去優先度とを関連付けて記録させる方法であればなんでもよい。
【００５６】
次いで、ＣＰＵ８は、該表示させている撮影画像の画像ファイルをゴミ箱フォルダへ移動させる（ステップＳ８）。
次いで、ＣＰＵ８は、再生モードが終了したか否かを判断する（ステップＳ９）。この判断は、ユーザのキー入力部１２の操作により電源がＯｆｆされた場合や、モード切替キーの操作により他のモード（撮影モード等）に設定された場合には再生モードが終了したと判断する。
ステップＳ９で、再生モードが終了していないと判断すると、次に撮影日時が古い撮影画像を画像表示部１４に表示させてから（ステップＳ３）、ステップＳ２に戻る。
なお、保存フォルダに記憶されている複数の画像ファイル（サムネイル画像やファイル名であってもよい）を一覧表示させ、この一覧表示されている複数の画像ファイルのうちユーザの十字キー操作によりカーソル選択された画像ファイルに対して消去操作を行うようにしてもよい。
【００５７】
Ｃ−１２．次に、消去優先度を自動で指定する方法での再生時におけるデジタルカメラ１の動作を図３のフローチャートにしたがって説明する。
【００５８】
図３のステップＳ１１〜ステップＳ１４までの動作は、図２のフローチャートのステップＳ１〜ステップＳ４までの動作と同様の動作を行い、図３のステップＳ１４で、消去操作ありと判断すると、該表示している撮影画像（選択している画像ファイルの撮影画像）の画質評価を行なう（ステップＳ１５）。この画質評価の項目としては、撮影画像の露出度合い（オーバー／アンダー）、撮影画像の手振れ度合い、撮影画像のピンぼけ度合いなどがあり、要は撮影画像の画質を評価できるものであればなんでもよい。ここでは、露出度合い、手振れ度合い、ピンぼけ度合いの３項目を評価する。
【００５９】
撮影画像の露出度合いは、例えば、撮影画像の濃度のダイナミックレンジと最小濃度点から所定の演算を行なうことにより露光度合いが適正かどうかを評価する。ダイナミックレンジは濃度の最大濃度点と最小濃度点の差異をいい、ダイナミックレンジが所定の閾値未満の場合には最小濃度点が所定の閾値未満であると露出不足（アンダー）と評価することができ、また、最大濃度点が所定の閾値以上であると、露出過剰（オーバー）と評価することができる。露出不足、露出過剰と評価された場合は露出エラーと評価される。
【００６０】
また、手振れ度合いは、撮影画像全体のエッジ量を求めることにより評価することができる。具体的には、例えば、撮影画像から高周波成分を抽出し、該抽出した高周波成分を所定の閾値で二値化処理することによりエッジ画素を検出し、該検出したエッジ画素数をエッジ量として導出する。そして、該エッジ量が所定の閾値よりも小さい時に手振れが発生していると評価することができる。手振れが発生していると評価された場合は手振れエラーと評価される。
【００６１】
また、撮影画像のピンぼけ度合いは、例えば、撮影画像領域の中心付近に位置する画像について、その画像のエッジ量を検出することにより評価することができる。また、背景画像のピンぼけは逆に、撮影画像領域の周辺に位置する画像について、その画像のエッジ量を検出することにより評価することができる。ピンぼけと評価された場合は、ピンぼけエラーとなる。
【００６２】
次いで、ＣＰＵ８は、画質評価の結果及び消去優先度テーブルに基づいて消去優先度を決定する（ステップＳ１６）。
図４（ａ）は、メモリ１１に記憶されている消去優先度テーブルの様子を示すものである。
図４（ａ）を見ると分かるように、画質評価の結果により露出エラーと評価された場合は消去優先度が「１」となり、ピンぼけエラーと評価された場合は消去優先度が「２」となり、手振れエラーと評価された場合は消去優先度が「３」となり、いずれのエラーも評価されなかった場合は消去優先度が「４」となる。
【００６３】
また、この消去優先度テーブルの内容は、ユーザの十字キーの操作により変更可能であり、この変更は、例えば、消去優先度変更モードにおいて行なう。
消去優先度テーブルの変更があった場合には、例えば、露出エラーの消去優先度「２」、手振れエラーの消去優先度「１」、ピンぼけエラーの消去優先度「３」、エラーなしの消去優先度「４」というように、ユーザが任意に評価結果に対応する消去優先度を変更することができる。
【００６４】
なお、複数のエラーが評価された場合は、消去優先度の高い方が適用される。また、図４（ｂ）の消去優先度テーブルを用いて、消去優先度を決定、つまり、エラーの数に応じて消去優先度を決定するようにしてもよい。
【００６５】
消去優先度を決定すると、ＣＰＵ８は、該決定した消去優先度を管理ファイルに記録させる（ステップＳ１７）。なお、管理ファイルに消去優先度を記録するのではなく、現在選択されている画像ファイルのヘッダ情報として消去優先度を付加させるようにしてもよい。つまり、現在選択されている画像ファイル（該表示させている撮影画像の画像ファイル）と消去優先度とを関連付けて記録させる方法であればなんでもよい。
次いで、ＣＰＵ８は、該表示させている撮影画像の画像ファイル（選択している画像ファイル）をゴミ箱フォルダへ移動させる（ステップＳ１８）。
次いで、ＣＰＵ８は、再生モードを終了するか否かを判断する（ステップＳ１９）。この判断は、ユーザのキー入力部１２の操作により電源がＯｆｆされた場合や、モード切替キーの操作により他のモード（撮影モード等）に設定された場合には再生モードを終了すると判断する。
ステップＳ１９で、再生モードが終了していないと判断すると、次に撮影日時が古い撮影画像を画像表示部１４に表示させてから（ステップＳ１３）、ステップＳ１２に戻る。
なお、保存フォルダに記憶されている複数の画像ファイル（サムネイル画像やファイル名であってもよい）を一覧表示させ、この一覧表示されている複数の画像ファイルのうちユーザの十字キー操作によりカーソル選択された画像ファイルに対して消去操作を行うようにしてもよい。
【００６６】
Ｃ−２．再生時（画像の復活）の動作について
以下、再生時（画像の復活）におけるデジタルカメラ１の動作を図５のフローチャートにしたがって説明する。
【００６７】
ユーザのモード切替キーの操作によりゴミ箱フォルダ再生モードに設定されると、ＣＰＵ８は、フラッシュメモリ１３のゴミ箱フォルダに記録されている複数の画像ファイルに関連付けられて記録されている消去優先度に基づいて、一番消去優先順位の低い画像ファイルを選択し、該選択した画像ファイルの撮影画像を画像表示部１４に表示させる（ステップＳ３１）。ここでは、撮影画像データをゴミ箱フォルダから保存フォルダに移動（復活）させるので、消去優先順位がより低い方が復活の可能性が大と考えられるからである。
【００６８】
この一番消去優先順位の低い画像ファイルとは、消去優先度が一番低い画像ファイル、図４（ａ）の優先度テーブルを用いて説明すると、エラーなしの画像ファイルのうち、一番撮影日時が新しい画像ファイルのことをいう。
図６は、消去優先順位の高低を説明するための図である。
図を見るとわかるように、画像ファイルの消去優先順位は、消去優先度が高い画像ファイルほど高くなり、消去優先度が同じ画像ファイルの場合には、撮影日時が古い画像ファイルほど消去優先順位が高くなる。
【００６９】
なお、撮影日時の古い画像ファイルほど消去優先順位を高くするようにしたが、エラーの度合いの大きさに応じて消去優先順位を高くするようにしてもよい。例えば、露出エラーの画像ファイルは消去優先度が「１」になるが（図４参照）、消去優先度が同じ画像ファイルの場合には、露出の度合い（オーバー／アンダー）の大きさに応じて消去優先順位を高くする。また、手振れエラーの画像ファイルは消去優先度が「３」になるが、この場合も同様に、手振れの度合いの大きさ（手振れ量の大きさ）に応じて消去優先順位を高くする。エラーなしの場合はそのまま撮影日時が古い順に消去優先順位を高くする。
【００７０】
図５のフローチャートに戻り、一番消去優先順位の低い撮影画像を表示させると、ＣＰＵ８は、コマ送り操作が行われたか否かを判断する（ステップＳ３２）。
ステップＳ３２で、コマ送り操作が行われたと判断すると、ゴミ箱フォルダに記録されている画像ファイルのうち次に消去優先順位の低い画像ファイルを選択し、該選択した画像ファイルの撮影画像を画像表示部１４に表示させて（ステップＳ３３）、ステップＳ３２に戻る。
一方、ステップＳ３２で、コマ送り操作が行われていないと判断すると、ＣＰＵ８は、画像ファイルの復活操作が行なわれたか否かを判断する（ステップＳ３４）。この判断は、復活ボタンの操作に対応する操作信号がキー入力部１２から送られてきたか否かにより判断する。
【００７１】
ステップＳ３４で、復活操作が行われたと判断すると、該表示している撮影画像の画像ファイル（選択している画像ファイル）を、ゴミ箱フォルダから保存フォルダに移動させて（ステップＳ３５）、ステップＳ３８に進む。
一方、ステップＳ３４で、復活操作が行われていないと判断すると、ＣＰＵ８は、消去操作が行われたか否かを判断する（ステップＳ３６）。
【００７２】
ステップＳ３６で、消去操作が行われていないと判断するとステップＳ３２に戻り、ステップＳ３６で、消去操作が行われたと判断すると、ＣＰＵ８は、該表示している撮影画像の画像ファイルをフラッシュメモリ１３から消去して（ステップＳ３７）、ステップＳ３８に進む。この消去により画像ファイルが完全にフラッシュメモリ１３から消去されることになる。
【００７３】
ステップＳ３８に進むと、ＣＰＵ８は、ゴミ箱フォルダ再生モードを終了するか否かを判断する。この判断は、ユーザのキー入力部１２の操作により電源がＯｆｆされた場合や、モード切替キーの操作により他のモード（撮影モード等）に設定された場合にはゴミ箱フォルダ再生モードが終了したと判断する。
ステップＳ３８で、ゴミ箱フォルダ再生モードが終了しないと判断すると、次に消去優先順位の低い画像ファイルを選択し、該選択した画像ファイルの撮影画像を画像表示部１４に表示させて（ステップＳ３３）、ステップＳ３２に戻る。
なお、ゴミ箱フォルダに記憶されている複数の画像ファイル（サムネイル画像やファイル名であってもよい）を消去優先順位の低い順に一覧表示させ、この一覧表示されている複数の画像ファイルのうちユーザの十字キー操作によりカーソル選択された画像ファイルに対して復活操作や消去操作を行うようにしてもよい。
【００７４】
Ｃ−３．撮影時の動作について
本実施の形態の撮影時を簡単に説明すると、撮影により得られた撮影画像をフラッシュメモリ１３に記録する際に、フラッシュメモリ１３に該撮影画像を記録する分だけの空き容量がない場合には、ゴミ箱フォルダに記録されている画像ファイルを消去するというものである。このとき、消去する画像ファイルを自動的に決定して消去する方法と、手動で決定して消去する方法との２通りある。
【００７５】
Ｃ−３１．まず、自動で消去する画像ファイルを決定する方法での撮影時におけるデジタルカメラ１の動作を図７のフローチャートにしたがって説明する。
【００７６】
ユーザのキー入力部１２のモード切替キーの操作により撮影モードに設定されると、ＣＰＵ８は、ＣＣＤ５による撮像を開始させ、該撮像された画像データに対して輝度色差信号の生成等の画像処理を施してバッファメモリ（ＤＲＡＭ９）に記憶させ、該記憶させて画像データを画像表示部１４に表示させるという、いわゆるスルー画像表示を行う（ステップＳ５１）。
次いで、ＣＰＵ８は、シャッタボタンが押下されたか否かを判断する（ステップＳ５２）。この判断は、シャッタボタンの押下に対応する操作信号がキー入力部１２から送られてきたか否かにより判断する。
【００７７】
ステップＳ５２で、シャッタボタンが押下されていないと判断するとステップＳ５１に戻り、シャッタボタンが押下されたと判断すると、ＣＰＵ８は、静止画撮影処理を行う（ステップＳ５３）。つまり、ＣＣＤ５に比較的長い出力タイミングで１画面中の偶数ラインの画素信号と、奇数ラインの画素信号を順に出力させて、全画素分の画像データを読出して画像処理を施し、画像処理が施された撮影画像データをバッファメモリに取り込む。
【００７８】
次いで、ＣＰＵ８は、該バッファメモリに記憶した撮影画像を記録する分だけの空き容量がフラッシュメモリ１３にあるか否かを判断する（ステップＳ５４）。
ステップＳ５４で、撮影画像を記録する分だけの空き容量がないと判断すると、ＣＰＵ８は、ゴミ箱フォルダに記録されている画像ファイルに関連付けられて記録されている消去優先度に基づいて、一番消去優先順位の高い画像ファイルを選択し、該選択した画像ファイルを自動的に消去して（ステップＳ５５）、ステップＳ５６に進む。これにより、該画像ファイルはフラッシュメモリ１３から完全に消去される。また、消去優先順位の高い画像ファイルを消去してもよい画像ファイルと判断できるので、一番消去優先順位の高い画像ファイルを自動的に消去することにより、ユーザの手間を省き、迅速に撮影処理により得られた撮影画像を記録することが可能となる。
【００７９】
なお、一番消去優先順位の高い画像ファイルだけでなく、一番消去優先順位の高い画像ファイルから所定の順位（例えば、５番目）までの画像ファイルを消去するようにしてもよい。これにより、撮影の度に撮影画像を消去するという処理を省くことができる。また、撮影処理により得られた撮影画像を記録する分だけの空き容量が、一枚の画像ファイルを消去しただけでは得られない場合は、該撮影処理により得られた撮影画像を記録する分だけの空き容量となるように、ゴミ箱フォルダから複数の画像ファイルを消去するようにする。この場合も消去優先順位の高い順に画像ファイルが消去されることは言うまでもない。
【００８０】
一方、ステップＳ５４で、撮影画像を記録する分だけの空き容量があると判断した場合はそのままステップＳ５６に進む。
ステップＳ５６に進むと、ＣＰＵ８は、該撮影処理により得られた撮影画像データに基づいて画像ファイルを生成し、該生成した画像ファイルをフラッシュメモリ１３の保存フォルダに記録させる。
次いで、ＣＰＵ８は、撮影モードを終了するか否かを判断する（ステップＳ５７）。この判断は、ユーザのキー入力部１２の操作により電源がＯｆｆされた場合や、モード切替キーの操作により他のモード（再生モード等）に設定された場合には撮影モードを終了すると判断する。
ステップＳ５７で、撮影モードを終了しないと判断すると、ステップＳ５１に戻る。
【００８１】
Ｃ−３２．次に、手動で消去する画像ファイルを決定する方法での撮影時におけるデジタルカメラ１の動作を図８のフローチャートにしたがって説明する。
【００８２】
図８のステップＳ７１〜ステップＳ７４までの動作は、図７のフローチャートのステップＳ５１〜ステップＳ５４までの動作と同様の動作を行い、図８のステップＳ７４で、撮影画像を記録する分だけの空き容量がフラッシュメモリ１３にないと判断すると、ＣＰＵ８は、ゴミ箱フォルダに記録されている画像ファイルに関連付けられて記録されている消去優先度に基づいて一番消去優先順位の高い画像ファイルを選択し、該選択した画像ファイルの撮影画像を画像表示部１４に表示させる（ステップＳ７５）。
【００８３】
次いで、ＣＰＵ８は、消去操作が行なわれたか否かを判断する（ステップＳ７６）。
ステップＳ７６で、消去操作が行われていないと判断すると、ＣＰＵ８は、コマ送り操作が行なわれたか否かを判断する（ステップＳ７７）。
【００８４】
ステップＳ７７でコマ送り操作が行われたと判断すると、ＣＰＵ８は、ゴミ箱フォルダに記録されている画像ファイルのうち次に消去優先順位の高い画像ファイルを選択し、該選択した画像ファイルの撮影画像を画像表示部１４に表示させて（ステップＳ７８）、ステップＳ７６に戻り、ステップＳ７７でコマ送り操作が行われていないと判断するとそのままステップＳ７６に戻る。このように、画像ファイルを消去する場合には、消去優先順位の高い順に表示させて、ユーザに消去を行うか否かを判断させるので、消去される確率が高い撮影画像を早く表示させることができ、迅速に画像ファイルを消去することができ、手間がかからない。
【００８５】
一方、ステップＳ７６で、消去操作が行われたと判断すると、ＣＰＵ８は、表示している撮影画像の画像ファイル（選択されている画像ファイル）をフラッシュメモリ１３から消去して（ステップＳ７９）、ステップＳ８０に進む。
なお、消去する撮影画像を複数選択することができるようにし、該選択された複数の撮影画像の画像ファイルを消去することができるようにしてもよい。
一方、ステップＳ７４で、撮影画像を記録する分だけの空き容量がフラッシュメモリ１３にあると判断するとそのままステップＳ８０に進む。
【００８６】
ステップＳ８０に進むと、ＣＰＵ８は、ステップＳ７３の撮影処理により得られた撮影画像データから画像ファイルを生成し、該生成した画像ファイルをフラッシュメモリ１３の保存フォルダに記録させる。
次いで、ＣＰＵ８は、撮影モードを終了するか否かを判断する（ステップＳ８１）。
ステップＳ８１で、撮影モードを終了しないと判断すると、ステップＳ７１に戻る。
なお、ゴミ箱フォルダに記憶されている複数の画像ファイル（サムネイル画像やファイル名であってもよい）を消去優先順位の高い順に一覧表示させ、この一覧表示されている複数の画像ファイルのうちユーザの十字キー操作によりカーソル選択された画像ファイルに対して消去操作を行うようにしてもよい。
【００８７】
Ｄ．以上のように、実施の形態においては、通常再生モード時に、保存フォルダに記録されている撮影画像を表示しているときに、消去操作が行われた場合は、該表示している撮影画像の消去優先度を決定し、該撮影画像の画像ファイルをフラッシュメモリ１３のゴミ箱フォルダに移動させるとともに、消去優先度を管理ファイルに記録させるようにしたので、消去操作が行われても直ちに該撮影画像の画像ファイルが消去されることがなく、該消去させた画像ファイルを復活させることができる。また、ゴミ箱フォルダに移動された画像ファイルには消去優先度が関連付けて記録されているので、該消去優先度に基づいて画像ファイルをフラッシュメモリ１３から破棄させることにより、必要のない画像ファイルを優先的に消去することが可能となる。
【００８８】
また、画像ファイルの消去優先度は、ユーザによって指定された消去優先度に従って決定することも可能なので、ユーザが画像ファイルの消去優先度を任意に決定することができる。例えば、ユーザが要らないと思う画像ファイルは消去優先度を高くすることができ、ユーザが必要かもしれないと思う画像ファイルは消去優先度を低くすることができる。
また、画像ファイルの消去優先度は、撮影画像の画質劣化に応じて消去優先度を高く設定することも可能なので、画質が悪い順に消去優先度を高く決定することができる。
【００８９】
また、ゴミ箱フォルダ再生モード時に、ゴミ箱フォルダに記録されている撮影画像を表示しているときに、復活操作が行われた場合は、該表示している撮影画像の画像ファイルをゴミ箱フォルダから保存フォルダに移動させるので、消去操作が行なわれた画像ファイルであっても簡単に復活させることができる。
また、ゴミ箱フォルダ再生モード時は、ゴミ箱フォルダに記録されている画像ファイルの撮影画像を、消去優先度に基づいて定められた消去優先順位の低い順に表示させるようにしたので、消去しないだろう（復活するだろう）と思われる画像ファイルの撮影画像を早目に表示させることができ、迅速に所望の画像ファイルの復活を行なうことができる。
【００９０】
また、撮影モード時に、撮影処理により得られた撮影画像をフラッシュメモリ１３の保存フォルダに記録する際に、フラッシュメモリ１３に該撮影画像を記録する分だけの空き容量があるか否かを判断し、空き容量がないと判断した場合は、ゴミ箱フォルダに記録されている画像ファイルのうち消去優先度に基づいて定められた消去優先順位の一番高い画像ファイルを削除して、又は、ゴミ箱フォルダに記録されている画像ファイルの撮影画像を、消去優先度に基づいて定められた消去優先度の高い順に表示させユーザによって指定された撮影画像の画像ファイルを削除して、該撮影処理により得られた撮影画像の画像ファイルを記録するようにしたので、撮影処理により得られた撮影画像を記録することができるとともに、必要のない画像データのみを削除することができる。
また、消去する画像ファイルをユーザが指定する場合は、消去優先順位の高い順に撮影画像を表示させるので、消去すると思われる画像ファイルの撮影画像を早目に表示することができ、消去する画像ファイルを迅速に決めることができる。
【００９１】
［変形例］
Ｅ．上記実施の形態は以下のような変形例も可能である。
（１）上記実施の形態においては、通常再生モードにおいて、表示した撮影画像の消去操作が行なわれたときに、撮影画像の画質評価を行い、該画質評価に基づいて消去優先度を決定するとともに、該撮影画像の画像ファイルに決定された消去優先度を関連付けて記録させるようにしたが（図３のステップＳ１５〜Ｓ１７）、撮影モードにおいてゴミ箱フォルダに記録されている画像ファイルを消去する際に（図７のステップＳ５４でＮ、図８のステップＳ７４でＮ）、ゴミ箱フォルダに記録されている画像ファイルの撮影画像の画質評価を行い、該画像ファイルの消去優先度を決定し、該決定された消去優先度に基づいて、一番消去優先度の高い画像ファイルを自動消去したり（図７のステップＳ５５）、一番消去優先度の高い画像ファイルの撮影画像を優先的に表示したり（図８のステップＳ７５）するようにしてもよい。
【００９２】
この場合は、撮影モードにおいて撮影処理により得られた撮影画像の画質評価を予め撮影記録時等に行い、該画質評価の結果を該撮影画像の画像ファイルと関連付けて（又は画像ファイル内に）記録するようにしたり、通常再生モード時におけるゴミ箱フォルダ移動時に該移動させる画像ファイルの撮影画像の画質評価を行い、該画質評価の結果を該移動させる画像ファイルと関連付けて（又は画像ファイル内に）記録させるようにし、撮影モード時における画像ファイルの消去時において、撮影画像の画質評価を行うことなく、画像ファイルと関連付けて記録されている画質評価データに基づいて消去優先度を決定して、消去又は優先表示させる画像ファイルを選択するようにしてもよい。
【００９３】
また、上記実施の形態においては、通常再生モードにおいて、表示した撮影画像の消去操作が行なわれたときに、撮影画像の画質評価を行い、該画質評価に基づいて消去優先度を決定するとともに、該撮影画像の画像ファイルに決定された消去優先度を関連付けて記録させるようにしたが（図３のステップＳ１５〜Ｓ１７）、撮影モードにおいて撮影処理により得られた撮影画像の画質評価を予め撮影記録時等に行い、該画質評価に基づいて消去優先度を決定するとともに、該撮影画像の画像ファイルに決定された消去優先度を関連付けて記録させるようにしてもよい。
【００９４】
（２）また、上記実施の形態においては、静止画撮影処理により得られた撮影画像データをバッファメモリに記憶し、該撮影画像データを記録する分だけの空き容量がないと判断した場合（図７のステップＳ５４でＮ、図８のステップＳ７４でＮ）に、消去動作を行なうようにしたが、空き容量が所定値より小さいか否かを判断し、所定値より小さいと判断された場合に消去動作を行なうようにしてもよい。なお、この所定値とは撮影処理により得られた撮影画像を記録する分だけの空き容量の値を所定値としてもよいし、予め定められた値を所定値とするようにしてもよい。
【００９５】
（３）また、上記実施の形態においては、撮影モードの静止画撮影処理後にフラッシュメモリ１３の空き容量が足りているか否かを判断するようにしたが（図７のステップＳ５４、図８のステップＳ８４）、任意のタイミングで所定のキー操作が行われた場合や周期的なタイミングで判断するようにしてもよい。この場合、撮影モードに限らず再生モード等の他のモード時においても周期的に判断するようにしてもよい。また、デジタルカメラ１の電源Ｏｆｆ時に判断するようにしてもよい。
また、上記実施の形態においては、フラッシュメモリ１３の空き容量が所定の条件を満たした場合に消去動作（図７のステップＳ５５、図８のステップＳ７５〜Ｓ７９）に移るようにしたが、フラッシュメモリ１３の空き容量に関係なく、所定のキー操作が行われたタイミング、周期的なタイミング、電源Ｏｆｆタイミング、処理モードの切替タイミング等に消去動作に移るようにしてもよい。
【００９６】
（４）また、上記実施の形態においては、撮影画像として静止画像を用いて説明したが、動画像であってもよい。つまり、動画の画像ファイルのゴミ箱フォルダへの移動、また、その復活、及び、ゴミ箱フォルダに記録されている動画の画像ファイルの消去の場合であってもよい。
【００９７】
（５）また、上記実施の形態においては、消去優先度を決定する方法として手動と自動（画質評価に基づく消去優先度の決定）との２通りについて説明したが、手動と自動との両方を用いて消去優先度を決定するようにしてもよい。この場合、手動により決定された消去優先度と自動により決定された消去優先度が競合する場合（ある画像ファイルに決定された消去優先度が手動と自動で異なる場合）は、手動を優先するようにしてもよいし、自動を優先するようにしてもよい。
【００９８】
（６）また、上記実施の形態においては、撮影された撮影画像は保存フォルダに記録し、消去された撮影画像の画像ファイルはゴミ箱フォルダに移動するようにしたが、フォルダという概念を設けずに、消去された撮影画像の画像ファイルに消去された画像である旨の情報を付加するようにしてもよい。
（７）また、上記実施の形態においては、撮影画像の画質を評価し、この画質評価結果に基づいて消去優先度を決定するようにしたが、撮影画像の内容種別（人物、風景、文書等）を判断し、この判断結果に基づいて消去優先度を決定するようにしてもよい。
この場合、ユーザの過去の消去履歴（ゴミ箱フォルダ内に記録されている画像ファイルに対する消去操作の履歴）と、判断された撮影画像の内容種別とから消去優先度を決定するようにしてもよい。例えば、文書画像を消去するケースが多い場合には文書画像の消去優先度を高く設定するといったことが考えられる。
【００９９】
（８）また、上記実施の形態においては、通常再生モードとゴミ箱フォルダ再生モードとを別個に設けたが、１つの再生モードにおいて保存フォルダに記録さている画像ファイルの撮影画像と、ゴミ箱フォルダに記録されている画像ファイルの撮影画像とを混在させて表示させるようにしてもよい。この場合、ゴミ箱フォルダに記録されている画像ファイルの撮影画像を表示する際には、ゴミ箱フォルダに記録されている撮影画像であることがユーザにわかるように識別表示させる。
【０１００】
（９）また、上記実施の形態におけるデジタルカメラ１は、上記の実施の形態に限定されるものではなく、携帯電話、ＰＤＡ、パソコン、ＩＣレコーダ、又はデジタルビデオカメラ等でもよく、要は画像データを記録することができる機能を備えた機器であれば何でもよい。
【符号の説明】
【０１０１】
１      デジタルカメラ
２      撮影レンズ
３      レンズ駆動ブロック
４      絞り兼用シャッタ
５      ＣＣＤ
６      ＴＧ
７      ユニット回路
８      ＣＰＵ
９      ＤＲＡＭ
１０    ＲＯＭ
１１    メモリ
１２    キー入力部
１３    フラッシュメモリ
１４    画像表示部
【図１】
2011160471.tif 000003
【図２】
2011160471.tif 000004
【図３】
2011160471.tif 000005
【図４】
2011160471.tif 000006
【図５】
2011160471.tif 000007
【図６】
2011160471.tif 000008
【図７】
2011160471.tif 000009
【図８】
2011160471.tif 000010
【手続補正書】
【提出日】平成23年5月20日(2011.5.20)
【手続補正２】
【補正対象書類名】明細書
【補正対象項目名】０００１
【補正方法】変更
【補正の内容】
【０００１】
本発明は、撮像装置及びプログラムに係り、詳しくは、記録された画像データを消去することができる撮像装置及びプログラムに関する。
【手続補正３】
【補正対象書類名】明細書
【補正対象項目名】０００５
【補正方法】変更
【補正の内容】
【０００５】
そこで本発明は、かかる従来の問題点に鑑みてなされたものであり、画像データの消去の精度を向上することができる撮像装置及びプログラムを提供することを目的とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
上記目的達成のため、請求項１記載の発明による撮像装置は、撮像手段と、前記撮像手段により撮像された画像データを記録する記録手段と、前記記録手段により記録された画像データを評価する画像評価手段と、前記画像評価手段による画像データの評価結果に対応する消去優先度をユーザ操作により決定する決定手段と、前記画像評価手段による評価結果、及び、前記指定手段により指定された評価結果に対応する消去優先度に基づいて、前記画像評価手段により評価された画像データの消去優先度を自動的に決定する消去優先度決定手段と、前記消去優先度決定手段により決定された消去優先度を前記評価された画像データに関連付けて前記記録手段に記録させる記録制御手段と、前記記録手段に記録されている画像データのうち、前記記録制御手段により消去優先度が関連付けて記録されている画像データを、消去優先度の順に表示する表示手段と、前記表示手段により表示された画像データの中から消去すべき画像データをユーザ操作により決定する消去画像決定手段と、前記消去画像決定手段により決定された画像データを前記記録手段から消去する画像消去手段と、を備えたことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
また、請求項２に記載の発明は、請求項１に記載の撮像装置において、前記画像評価手段による画像データの評価結果に対応する消去優先度のテーブルを記憶する記憶手段と、前記消去優先度決定手段は、前記画像評価手段による評価結果、及び、前記記憶手段により記憶されたテーブルに基づいて、前記消去優先度を決定することを特徴とする。
【手続補正１０】
【補正対象書類名】明細書
【補正対象項目名】００１２
【補正方法】変更
【補正の内容】
【００１２】
また、請求項３に記載の発明は、請求項１又は２に記載の撮像装置において、前記画像評価手段は、画像データの画質の劣化を複数の項目別に評価し、前記消去優先度決定手段は、前記画像評価手段により画質の劣化があると評価された項目に基づいて、消去優先度を決定することを特徴とする。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
また、請求項４に記載の発明は、請求項１乃至３の何れかに記載の撮像装置において、前記記録手段により記憶された画像データを消去するか否かを判断する判断手段を更に備え、前記画像評価手段は、前記判断手段により消去すると判断された画像データを評価し、前記消去画像決定手段は、前記記録制御手段により消去優先度が関連付けられて前記記録手段により記録されている画像データから、消去優先度の高い画像データを消去する画像として決定することを特徴とする。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
上記目的達成のため、請求項５記載の発明によるプログラムは、撮像手段と表示手段と記録手段とを備えた撮像装置のコンピュータを、前記撮像手段により撮像された画像データを前記記録手段に記録する第１の記録制御手段、前記記録手段により記録された画像データの画像を評価する画像評価手段、前記画像評価手段による画像データの評価結果に対応する消去優先度をユーザ操作により決定する決定手段、前記画像解析評価手段による評価結果、及び、前記指定手段により指定された評価結果に対応する消去優先度に基づいて、前記画像評価手段により評価された画像データの消去優先度を自動的に決定する消去優先度決定手段、前記消去優先度決定手段により決定された消去優先度を前記評価された画像データに、関連付けて前記記録媒体に記録させる第２の記録制御手段、前記記録手段に記録された画像データのうち、前記第２の記録制御手段により消去優先度が関連付けて記録されている画像データを、消去優先度の順に前記表示手段に表示させる表示制御手段、前記表示制御手段により表示された画像データの中から消去すべき画像データをユーザの操作により決定する消去画像決定手段、前記消去画像決定手段により決定された画像データを前記記録手段から消去する画像消去手段、として機能させることを特徴とする。
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】変更
【補正の内容】
【００２８】
本発明によれば、迅速に画像データを消去することができる。
【手続補正２７】
【補正対象書類名】明細書
【補正対象項目名】００２９
【補正方法】削除
【補正の内容】
【手続補正２８】
【補正対象書類名】特許請求の範囲
【補正対象項目名】全文
【補正方法】変更
【補正の内容】
【特許請求の範囲】
【請求項１】
撮像手段と、
前記撮像手段により撮像された画像データを記録する記録手段と、
前記記録手段により記録された画像データを評価する画像評価手段と、
前記画像評価手段による画像データの評価結果に対応する消去優先度をユーザ操作により決定する決定手段と、
前記画像評価手段による評価結果、及び、前記指定手段により指定された評価結果に対応する消去優先度に基づいて、前記画像評価手段により評価された画像データの消去優先度を自動的に決定する消去優先度決定手段と、
前記消去優先度決定手段により決定された消去優先度を前記評価された画像データに関連付けて前記記録手段に記録させる記録制御手段と、
前記記録手段に記録されている画像データのうち、前記記録制御手段により消去優先度が関連付けて記録されている画像データを、消去優先度の順に表示する表示手段と、
前記表示手段により表示された画像データの中から消去すべき画像データをユーザ操作により決定する消去画像決定手段と、
前記消去画像決定手段により決定された画像データを前記記録手段から消去する画像消去手段と、
を備えたことを特徴とする撮像装置。
【請求項２】
前記画像評価手段による画像データの評価結果に対応する消去優先度のテーブルを記憶する記憶手段と、
前記消去優先度決定手段は、前記画像評価手段による評価結果、及び、前記記憶手段により記憶されたテーブルに基づいて、前記消去優先度を決定することを特徴とする請求項１に記載の撮像装置。
【請求項３】
前記画像評価手段は、画像データの画質の劣化を複数の項目別に評価し、
前記消去優先度決定手段は、前記画像評価手段により画質の劣化があると評価された項目に基づいて、消去優先度を決定することを特徴とする請求項１又は２に記載の撮像装置。
【請求項４】
前記記録手段により記憶された画像データを消去するか否かを判断する判断手段を更に備え、
前記画像評価手段は、前記判断手段により消去すると判断された画像データを評価し、
前記消去画像決定手段は、前記記録制御手段により消去優先度が関連付けられて前記記録手段により記録されている画像データから、消去優先度の高い画像データを消去する画像として決定することを特徴とする請求項１乃至３の何れかに記載の撮像装置。
【請求項５】
撮像手段と表示手段と記録手段とを備えた撮像装置のコンピュータを、
前記撮像手段により撮像された画像データを前記記録手段に記録する第１の記録制御手段、
前記記録手段により記録された画像データの画像を評価する画像評価手段、
前記画像評価手段による画像データの評価結果に対応する消去優先度をユーザ操作により決定する決定手段、
前記画像解析評価手段による評価結果、及び、前記指定手段により指定された評価結果に対応する消去優先度に基づいて、前記画像評価手段により評価された画像データの消去優先度を自動的に決定する消去優先度決定手段、
前記消去優先度決定手段により決定された消去優先度を前記評価された画像データに、関連付けて前記記録媒体に記録させる第２の記録制御手段、
前記記録手段に記録された画像データのうち、前記第２の記録制御手段により消去優先度が関連付けて記録されている画像データを、消去優先度の順に前記表示手段に表示させる表示制御手段、
前記表示制御手段により表示された画像データの中から消去すべき画像データをユーザの操作により決定する消去画像決定手段、
前記消去画像決定手段により決定された画像データを前記記録手段から消去する画像消去手段、
として機能させることを特徴とするプログラム。
【手続補正２９】
【補正対象書類名】図面
【補正対象項目名】図３
【補正方法】変更
【補正の内容】
【図３】
2011160471.tif 000011